(57)【要約】【課題】使用者が身分認証のため電子文書に個人の電子印鑑を差し込めるようにするために、電子キーを利用して電子印鑑をコンピューターシステムにおける書類の内容に差し込む方法を提供する。【解決手段】電子キーを利用して電子印鑑をコンピューターシステムにおける書類の内容に差し込む方法を提供し、電子キーがランダムパラメーターを貯蔵したメモリーを具え、コンピューターシステムは貯蔵装置とアドインプログラムとを具える。該方法は、電子キーをコンピューターシステムに差し込み、アドインプログラムを利用して電子印鑑を設定しそれに対応したランダムパラメーターを発生し、またランダムパラメーターをコンピューターシステムの貯蔵装置及びメモリーに貯蔵し、アドインプログラムを利用して電子印鑑を書類の内容に差し込み、書類の属性を発生し、書類の属性を書類の内容に差し込むなどの作業を含んでなる。【選択図】図１
2005157750.tif 000002
【特許請求の範囲】
【請求項１】
第一電子キーにより電子印鑑をコンピューターシステムにおける書類の内容に差し込む方法において、
該第一電子キーはランダムパラメーターを貯蔵したメモリーを含んでなり、
該コンピューターシステムは貯蔵装置とアドインプログラムを含んでなり、
該方法において、
（ａ）該第一電子キーをコンピューターシステムに差し込み、該アドインプログラムを利用して該電子印鑑を設定し、それに対応したランダムパラメーターを発生し、該ランダムパラメーターをコンピューターシステムにおける貯蔵装置及び該第一電子キーのメモリーに貯蔵し、
（ｂ）該アドインプログラムを利用して該電子印鑑を該書類の内容に差し込み、該書類の属性を発生し、該書類の属性を該書類の内容に差し込むことを特徴とする第一電子キーにより電子印鑑をコンピューターシステムにおける書類の内容に差し込む方法。
【請求項２】
前記ランダムパラメーターは該電子印鑑の特徴及び乱数により発生されることを特徴とする請求項１に記載の第一電子キーにより電子印鑑をコンピューターシステムにおける書類の内容に差し込む方法。
【請求項３】
前記方法において、該ランダムパラメーターにより該電子印鑑を訂正し、該貯蔵装置に貯蔵された電子印鑑と該書類の内容に差し込まれた電子印鑑がランダムパラメーターにより発生された影像を具えさせることを特徴とする請求項１に記載の第一電子キーにより電子印鑑をコンピューターシステムにおける書類の内容に差し込む方法。
【請求項４】
前記方法において、ステップ（ａ）を実行する前に、該コンピューターシステムに入力された身分及びパスワードにより身分照合プロセスを実行し、該電子キーに対する盗難を防ぐことを特徴とする請求項１に記載の第一電子キーにより電子印鑑をコンピューターシステムにおける書類の内容に差し込む方法。
【請求項５】
前記方法において、ステップ（ｂ）を実行した後、該第一電子キーをまた該コンピューターシステムに差し込み、該貯蔵装置におけるランダムパラメーターと該メモリーにおけるランダムパラメーターが一致しているかを照合することを特徴とする請求項１に記載の第一電子キーにより電子印鑑をコンピューターシステムにおける書類の内容に差し込む方法。
【請求項６】
前記方法において、ステップ（ｂ）を実行した後、該第一電子キーをまた該コンピューターシステムに差し込み、該書類の属性を開き、該書類の状態を調査することを特徴とする請求項１に記載の第一電子キーにより電子印鑑をコンピューターシステムにおける書類の内容に差し込む方法。
【請求項７】
前記方法において、ステップ（ｂ）を実行した後、該書類をロックし、該書類の内容が訂正されることを防ぐことを特徴とする請求項１に記載の第一電子キーにより電子印鑑をコンピューターシステムにおける書類の内容に差し込む方法。
【請求項８】
前記方法において、ステップ（ｂ）を実行した後、第二電子キーを該コンピューターシステムに差し込み、該第二電子キーの権限を調査し、該第二電子キーが該書類を開くことができるかを判断し、該第二電子キーが該書類を開く権限を具える場合、該書類に添付ファイルを差し込むことができることを特徴とする請求項１に記載の第一電子キーにより電子印鑑をコンピューターシステムにおける書類の内容に差し込む方法。
【請求項９】
前記第一電子キーがボタンを具え、該ボタンが押される場合、該電子印鑑を該書類の内容に差し込むことを特徴とする請求項１に記載の第一電子キーにより電子印鑑をコンピューターシステムにおける書類の内容に差し込む方法。
【請求項１０】
前記電子印鑑が該コンピューターシステムのユーザーインターフェイスを通して該書類の内容に差し込まれることを特徴とする請求項１に記載の第一電子キーにより電子印鑑をコンピューターシステムにおける書類の内容に差し込む方法。
【請求項１１】
前記メモリーがＥＥＰＲＯＭであることを特徴とする請求項１に記載の第一電子キーにより電子印鑑をコンピューターシステムにおける書類の内容に差し込む方法。
【請求項１２】
前記第一電子キーがＵＳＢを通して該コンピューターシステムに接続することを特徴とする請求項１に記載の第一電子キーにより電子印鑑をコンピューターシステムにおける書類の内容に差し込む方法。
【請求項１３】
前記第一電子キーがＲＳ−２３２を通して該コンピューターシステムに接続することを特徴とする請求項１に記載の第一電子キーにより電子印鑑をコンピューターシステムにおける書類の内容に差し込む方法。
【発明の詳細な説明】
【技術分野】
【０００１】
この発明は一種の電子キーを利用する方法に関し、特に電子キーを利用して電子印鑑をコンピューターシステムにおける書類の内容に差し込む方法に関する。
【背景技術】
【０００２】
人間の社会活動が頻繁になるにつれ、契約または公文書などの文書の調印と認証は、文書の往復と保存において重要な一環とされている。東洋社会において、本人の署名以外、印鑑も欠くことできない認証手段である。認証すべき数多くの書類においては、印鑑がたった一つの認証手段とさえされている。しかし偽造技術の精巧化につれ、偽造された印鑑は専門家でも肉眼では識別できない場合があって、まして一般人なら言うまでもないため、印鑑の使用上の不便をもたらしている。
【０００３】
近年において、電子技術が一般大衆の生活に普及したので、文書往復は従来の紙面がすでに電子文書に取り替えられている。しかし電子文書に捺印するとき、従来はまず電子文書をプリントしてからそれに捺印し、また捺印された文書をスキャンしてもう一つの電子文書を作らなければならないため、時間と金銭の浪費をもたらしている。
【０００４】
そのため、いかに従来の印鑑の識別と電子文書の捺印における不便を避け、同時に従来の印鑑と電子文書の長所を維持するのは解決すべきことである。
【発明の開示】
【発明が解決しようとする課題】
【０００５】
この発明は、使用者が身分認証のため電子文書に個人の電子印鑑を差し込めるようにするために、電子キーを利用して電子印鑑をコンピューターシステムにおける書類の内容に差し込む方法を提供することを課題とする。
【課題を解決するための手段】
【０００６】
この発明は、電子キーを利用して電子印鑑をコンピューターシステムにおける書類の内容に差し込む方法を提供するものであり、該電子キーがランダムパラメーターを貯蔵したメモリーを具え、該コンピューターシステムは貯蔵装置とアドインプログラムとを具える。該方法は、該電子キーを該コンピューターシステムに差し込み、該アドインプログラムを利用して該電子印鑑を設定しそれに対応したランダムパラメーターを発生し、また該ランダムパラメーターを該コンピューターシステムの貯蔵装置及び該メモリーに貯蔵し、該アドインプログラムを利用して該電子印鑑を該書類の内容に差し込み、該書類の属性を発生し、該書類の属性を該書類の内容に差し込むなどの作業を含んでなる。
【発明の効果】
【０００７】
この発明によるコンピューターシステムは、ハードウェアである携帯型電子キー及びソフトウェアであるアドインプログラムを利用して電子印鑑を発生し電子印鑑の照合プロセスを行うものである。電子キーがコンピューターとの接続簡易性と携帯便利性などの特徴を具えるため、使用者が従来の印鑑の代わりに電子キーを利用することができる。電子キーが盗難に遭っても、もし窃取者が電子キーの所有者の身分とパスワードを知らなければ、窃取者が身分照合プロセスに通過できず電子キーを使用することができないため、従来の印鑑より優れた電子キーの安全性は確保される。また、電子キーはコンピューターに接続するのみで操作できるため、従来の印鑑と異なって朱肉に手が汚されることもなくなる。それに、電子印鑑の正確性は肉眼でなくコンピューターにより確認されるため、偽造技術が精巧になりつつあるも、電子キーは従来の印鑑と異なって簡単に偽造されることがない。そのため、電子キーは使用者の権益を完全に確保できる。
【０００８】
以下、この発明について詳述する。
【０００９】
請求項１に記載する第一電子キーにより電子印鑑をコンピューターシステムにおける書類の内容に差し込む方法は、該第一電子キーはランダムパラメーターを貯蔵したメモリーを含んでなり、該コンピューターシステムは貯蔵装置とアドインプログラムを含んでなり、該方法において、（ａ）該第一電子キーをコンピューターシステムに差し込み、該アドインプログラムを利用して該電子印鑑を設定し、それに対応したランダムパラメーターを発生し、該ランダムパラメーターをコンピューターシステムにおける貯蔵装置及び該第一電子キーのメモリーに貯蔵し、（ｂ）該アドインプログラムを利用して該電子印鑑を該書類の内容に差し込み、該書類の属性を発生し、該書類の属性を該書類の内容に差し込む。
【００１０】
請求項２に記載する第一電子キーにより電子印鑑をコンピューターシステムにおける書類の内容に差し込む方法は、請求項１におけるランダムパラメーターが該電子印鑑の特徴及び乱数により発生される。
【００１１】
請求項３に記載する第一電子キーにより電子印鑑をコンピューターシステムにおける書類の内容に差し込む方法は、請求項１における方法において、該ランダムパラメーターにより該電子印鑑を訂正し、該貯蔵装置に貯蔵された電子印鑑と該書類の内容に差し込まれた電子印鑑がランダムパラメーターにより発生された影像を具えさせる。
【００１２】
請求項４に記載する第一電子キーにより電子印鑑をコンピューターシステムにおける書類の内容に差し込む方法は、請求項１における方法において、ステップ（ａ）を実行する前に、該コンピューターシステムに入力された身分及びパスワードにより身分照合プロセスを実行し、該電子キーに対する盗難を防ぐ。
【００１３】
請求項５に記載する第一電子キーにより電子印鑑をコンピューターシステムにおける書類の内容に差し込む方法は、請求項１における方法において、ステップ（ｂ）を実行した後、該第一電子キーをまた該コンピューターシステムに差し込み、該貯蔵装置におけるランダムパラメーターと該メモリーにおけるランダムパラメーターが一致しているかを照合する。
【００１４】
請求項６に記載する第一電子キーにより電子印鑑をコンピューターシステムにおける書類の内容に差し込む方法は、請求項１における方法において、ステップ（ｂ）を実行した後、該第一電子キーをまた該コンピューターシステムに差し込み、該書類の属性を開き、該書類の状態を調査する。
【００１５】
請求項７に記載する第一電子キーにより電子印鑑をコンピューターシステムにおける書類の内容に差し込む方法は、請求項１における方法において、ステップｂを実行した後、該書類をロックし、該書類の内容が訂正されることを防ぐ。
【００１６】
請求項８に記載する第一電子キーにより電子印鑑をコンピューターシステムにおける書類の内容に差し込む方法は、請求項１における方法において、ステップｂを実行した後、第二電子キーを該コンピューターシステムに差し込み、該第二電子キーの権限を調査し、該第二電子キーが該書類を開くことができるかを判断し、該第二電子キーが該書類を開く権限を具える場合、該書類に添付ファイルを差し込むことができる。
【００１７】
請求項９に記載する第一電子キーにより電子印鑑をコンピューターシステムにおける書類の内容に差し込む方法は、請求項１における第一電子キーがボタンを具え、該ボタンが押される場合、該電子印鑑を該書類の内容に差し込む。
【００１８】
請求項１０に記載する第一電子キーにより電子印鑑をコンピューターシステムにおける書類の内容に差し込む方法は、請求項１における電子印鑑が該コンピューターシステムのユーザーインターフェイスを通して該書類の内容に差し込まれる。
【００１９】
請求項１１に記載する第一電子キーにより電子印鑑をコンピューターシステムにおける書類の内容に差し込む方法は、請求項１におけるメモリーがＥＥＰＲＯＭ電気的消去可能プログラマブルロムである。
【００２０】
請求項１２に記載する第一電子キーにより電子印鑑をコンピューターシステムにおける書類の内容に差し込む方法は、請求項１における第一電子キーがＵＳＢユニバーサルシリアルバスを通して該コンピューターシステムに接続する。
【００２１】
請求項１３に記載する第一電子キーにより電子印鑑をコンピューターシステムにおける書類の内容に差し込む方法は、請求項１における第一電子キーがＲＳ−２３２を通して該コンピューターシステムに接続する。
【発明を実施するための最良の形態】
【００２２】
この発明は、一種の電子キーを利用して電子印鑑をコンピューターシステムにおける書類の内容に差し込む方法に提供するものである。該電子キーはランダムパラメーターを貯蔵したメモリーを具え、該コンピューターシステムは貯蔵装置とアドインプログラムとを具える。該方法は、該電子キーを該コンピューターシステムに差し込み、該アドインプログラムを利用して該電子印鑑を設定しそれに対応したランダムパラメーターを発生し、また該ランダムパラメーターを該コンピューターシステムの貯蔵装置及び該メモリーに貯蔵し、該アドインプログラムを利用して該電子印鑑を該書類の内容に差し込み、該書類の属性を発生し、該書類の属性を該書類の内容に差し込むなどの作業を含んでなる。
【００２３】
かかる電子キーを利用して電子印鑑をコンピューターシステムにおける書類の内容に差し込む方法の特徴を詳述するために、具体的な実施例を挙げ、図示を参照にして以下に説明する。
【実施例１】
【００２４】
図１を参照するに、図１はこの発明によるコンピューターシステム１０を表わす説明図である。コンピューターシステムは貯蔵装置１２と、ネットワークを通して接続された複数のコンピューター２０、３０と、複数の携帯型電子キー５０、６０とを含んでなる。コンピューター２０、３０毎にプログラムとデータを貯蔵するメモリー２２、３２と、入力ポート２４、３４と、メモリーに貯蔵されたアドインプログラム２６、３６とを含んでなる。電子キー５０、６０毎にランダムパラメーター５６、６６を貯蔵するＥＥＰＲＯＭ５２、６２と、入力ポート２４、３４と接続するキーポート５４、６４とを含んでなる。キーポート５４、６４はＵＳＢポート、ＲＳ―２３２ポート、またはその他のインターフェイスである。
【００２５】
図２及び図３を参照するに、使用者が電子キー５０のキーポート５４をコンピューター２０の入力ポート２４に接続した後、コンピューター２０がまず電子キー５０の盗難を防ぐため使用者が入力した身分及びパスワードにより身分照合プロセスを行い、アドインプログラム２６がメモリー５２に貯蔵された使用者氏名、色合い、フォント、大きさなどの特徴により電子印鑑７０のイメージを発生し、これらの特徴を「０」、「１」などのビット単位に貯蔵する。例えば、赤字体が「００００」、青字体が「０１１０」である。その後、アドインプログラム２６は乱数を発生し電子印鑑７０の特徴と組み合わせてランダムパラメーター５６を発生し、ランダムパラメーター５６を貯蔵装置１２及び電子キー５０におけるメモリー５２に貯蔵する。それに、電子印鑑７０もランダムパラメーター５６により発生されたイメージ７２を表示する。この実施例において、イメージ７２は図３が示したようなそれぞれ長さが異なったコードバーにより形成される。
【００２６】
図４を参照するに、図４は電子キー５０を表わす説明図である。電子キー５０はボタン８０を具え、ボタン８０が押された場合、電子印鑑７０はコンピューター２０における書類の内容に差し込まれる。電子印鑑７０をボタン８０により該書類に差し込む以外、使用者もコンピューター２０のユーザーインターフェイスを利用して電子印鑑７０を差し込むことができる。電子キー５０は更に指示灯８２を具え、指示灯８２は電子キー５０が異常な場合に点滅し、使用者に故障を処理するように知らせる。
【００２７】
使用者がコンピューター２０における書類に電子印鑑７０で捺印した後、該書類の内容を訂正されないようにロックすることができる。最後に電子印鑑７０を差し込まれた書類の内容及び属性を合わせて貯蔵装置１２に貯蔵する。該書類の属性もアドインプラグラム２６により発生され、書類の属性は捺印時間、印鑑にある文字、印鑑の位置、印鑑の角度、印鑑の使用者身分、該書類を閉じる時間、該書類が訂正される時間などを含んでなることができる。
【００２８】
使用者が該書類を閉じた後、もし該書類を開こうとする場合、電子キー５０のキーポート５４をコンピューター２０の入力ポート２４に差し込まなければならなく、コンピューター２０は使用者身分及びパスワードにより身分照合プロセスを行い、電子キー５０が電子印鑑７０を入力したものであるかを確認する。もし電子キー５０が電子印鑑７０を入力したものである場合、コンピューターシステム１０は電子キー５０のメモリー５２から取り出されたランダムパラメーター５６を貯蔵装置１２に貯蔵されたランダムパラメーター５６と照合し、もし電子キー５０のメモリー５２から取り出されたランダムパラメーター５６が貯蔵装置１２に貯蔵されたランダムパラメーター５６と一致した場合、該書類は開かれることができ、使用者が該書類をアンロックして訂正するまたは該書類に他の書類を添付することができる。もし電子キー５０のメモリー５２から取り出されたランダムパラメーター５６が貯蔵装置１２に貯蔵されたランダムパラメーター５６と一致しない場合、該書類は開かれなく、機密書類の漏洩は防がれる。
【００２９】
コンピューター２０が身分照合プロセスを実行した後、コンピューター２０が該電子キーが電子印鑑７０を入力した電子キー５０でなく、他の電子キー６０であると確認した場合、コンピューター２０は電子キー６０の権限を調査する。もし電子キー６０が該書類を開く権限を具える場合、該書類は開かれることができ、電子キー６０の使用者が電子印鑑７０を含んだ書類に他の書類を添付することができ、また該添付書類に電子キー６０の使用者が該書類に添付書類を添付した使用者の身分を表わすためにもう一つの電子印鑑を差し込むことができる。それに、コンピューター２０及びコンピューター３０はネットワークにより接続されたため、使用者がコンピューター２０を通して電子印鑑７０を含んだ書類を開く以外、コンピューター３０を通して電子印鑑７０を含んだ書類を開き、コンピューター３０を通してその他の書類を添付するまたはその他の電子印鑑を差し込むこともできる。
【００３０】
貯蔵装置１２には閉じられた書類の属性を貯蔵しているため、使用者が該書類を改めて開く場合に該書類の属性を調査することによって該書類が開かれたかもしくは訂正されたか否かを判断できる。それに、電子印鑑７０はランダムパラメーター５６により発生されたイメージ７２を具えるため、使用者がイメージ７２を調査して電子印鑑７０が不法的に訂正された否かを判断できる。
【実施例２】
【００３１】
この発明の第２の実施例は前述とほぼ一致しているが、前述と異なった点は、コンピューター２０が使用者身分及びパスワードにより身分照合プロセスを行う場合、たとえ電子キー５０のメモリー５２から取り出されたランダムパラメーター５６が貯蔵装置１２に貯蔵されたランダムパラメーター５６と一致しなくても、該書類は依然として開かれることができるが、使用者が該書類をアンロックして訂正するまたは該書類に他の書類を添付することができないことである。
【００３２】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲の範囲に属するものとする。
【図面の簡単な説明】
【００３３】
【図１】この発明によるコンピューターシステムを表わす説明図である。
【図２】この発明による電子印鑑を表わす説明図である。
【図３】この発明によるランダムパラメーターにより発生されたイメージを表わす説明図である。
【図４】図１による電子キーを表わす説明図である。
【符号の説明】
【００３４】
１０                  コンピューターシステム
１２                  貯蔵装置
２０、３０            コンピューター
２２、３２            メモリー
２４、３４            入力ポート
２６、３６            アドインプログラム
５０、６０            電子キー
５２、６２            ランダムパラメーター
５４、６４            キーポート
７０                  電子印鑑
７２                  イメージ
８０                  ボタン
８２                  指示灯
【図１】
2005157750.tif 000003
【図２】
2005157750.tif 000004
【図３】
2005157750.tif 000005
【図４】
2005157750.tif 000006